(57)【要約】【課題】本発明の課題は、ユーザが、読み取られる原稿の各ページの表裏を意識する必要のない画像読取装置を提供することである。【解決手段】上記課題を解決するために本発明に係る画像読取装置は、複数枚からなる原稿を連続して給紙する給紙手段と、原稿の画像情報を読み取る読取手段と、搬送された原稿の向きを物理的に変更する変更手段と、画像情報の有無の判定手段と、原稿の方向の判定手段とを備えることを特徴とする。【選択図】図５
2009065527.tif 000002
【特許請求の範囲】
【請求項１】
複数枚からなる原稿を連続して給紙する給紙手段と、
前記原稿の片面の画像情報を読み取る読取手段と、
搬送された前記原稿の向きを物理的に変更する変更手段と、
前記読取手段により前記原稿の第１面の画像情報を読み取るとき、前記原稿の第１面の画像情報の有無を判定し、前記画像情報の有無の判定手段により前記原稿の第１面に画像情報が存在しないと判定された場合に、前記読取手段により前記原稿の第２面の画像情報を読み取る読取処理に移行し、前記原稿の第２面の画像情報の有無を判定する、画像情報の有無の判定手段と、
前記画像情報の有無の判定手段による判定が終了して前記原稿が前記読取手段から排出される際、前記原稿の情報が記載されている面が所定の方向を向くか否かを判定する、原稿の方向の判定手段とを備え、
前記原稿の方向の判定手段により、前記原稿が所定の方向を向かないと判定された場合に、前記原稿の向きが前記変更手段により物理的に変更されることを特徴とする画像読取装置。
【請求項２】
複数枚からなる原稿を連続して給紙する給紙手段と、
前記原稿の両面の画像情報を同時に読み取る読取手段と、
搬送された前記原稿の向きを物理的に変更する変更手段と、
前記読取手段により前記原稿の第１面と第２面の画像情報の読み取りを同時に実施する際、前記原稿の両面の画像情報の有無を同時に判定し、前記原稿の第１面と第２面のいずれに画像情報が存在するかを判定する、画像情報の有無の判定手段と、
前記画像情報の有無の判定手段による判定が終了して前記原稿を前記読取手段から排出する際、前記原稿の情報が記載されている面が所定の方向を向くか否かを判定する、原稿の方向の判定手段とを備え、
前記原稿の方向の判定手段により、前記原稿が所定の方向を向かないと判定された場合に、前記原稿の向きが前記変更手段により物理的に変更されることを特徴とする画像読取装置。
【請求項３】
前記画像情報の有無の判定手段により、前記原稿の第１面と第２面に画像情報が存在しないと判定された場合、または、前記画像情報の有無の判定手段により、前記原稿の第１面と第２面の双方に画像情報が存在すると判定された場合に、前記原稿の方向の判定手段は、前記原稿の向きの判定を行わないことを特徴とする請求項１又は請求項２に記載の画像読取装置。
【請求項４】
前記読取手段が前記原稿を読み取るときに、前記読取手段から排出される原稿の面揃え処理を行うか否かを切り替える、面揃えの切り替え手段と、
前記面揃えの切り替えをユーザに選択させる、面揃え選択手段とをさらに備えたことを特徴とする請求項１又は請求項２に記載の画像読取装置。
【請求項５】
前記原稿の向きが物理的に変更される場合に、前記原稿のページ情報を保持する保持手段と、
前記保持手段により保持されたページ情報をユーザに通知する、ページ情報の通知手段とをさらに備えたことを特徴とする請求項１又は請求項２に記載の画像読取装置。
【請求項６】
前記原稿の向きが物理的に変更される場合に、前記原稿のページ情報をユーザに通知するか否かを切り替える、通知の切り替え手段と、
前記通知の切り替えをユーザに選択させる、通知の選択手段とをさらに備えたことを特徴とする請求項５に記載の画像読取装置。
【請求項７】
前記原稿の向きが物理的に変更される場合に、前記原稿の搬送方向から原稿の天地が反転する可能性があるか否かを判定する、反転の判定手段と、
前記反転の判定手段により前記原稿の天地が反転する可能性があると判定された場合にユーザに通知する、反転の可能性の通知手段とをさらに備えたことを特徴とする請求項６に記載の画像読取装置。
【発明の詳細な説明】
【技術分野】
【０００１】
本発明は、原稿の反転機能を持つ、画像読取装置に関するものである。
【背景技術】
【０００２】
本発明は、複数枚からなる原稿を原稿設置台に設置し、積載原稿を１枚ずつ原稿読取部に引き込む原稿搬送形態を持つ複写機やＦＡＸなどの原稿読取装置が対象である。原稿設置台に原稿を置く際、原稿の読取装置内への引き込み方と、読取後の原稿の排出方法により、表面を上向きに置くかまたは下向きに置くか、という原稿の設置向きは予め規定される。すなわち、原稿設置台から引き込まれた原稿が、搬送されて読取部に到達した結果、読取面が有するセンサーに正対するような面方向で置かなければならない。また、読取部通過後の原稿は、通常原稿設置台に正しく原稿が置かれた場合に正しいページ順となるように、排紙台に排出される。
【０００３】
一般的な画像読取装置として、画像読取部と画像印刷部を有する複写機を例に上記原稿搬送と排出後の原稿面について説明する。
【０００４】
図１は、複写機全体を示すブロック図である。原稿読取部（スキャナ）１００で読み込まれた画像データは、データ処理・制御部１０２へ入力部Ｉ／Ｆ１１０を介して送られる。送られたデータはプログラムＲＯＭ１０６に格納されたデータ処理プログラムをＣＰＵ１０８が起動し、データＲＯＭ１０７に格納される処理用データを使いながらＲＡＭ１０９上で処理される。また、タイマ１１５が、データ処理・制御部１０２の内部に接続されている。処理中または処理後の画像データは、必要に応じて記憶部Ｉ／Ｆ１１４を介して内部記憶領域部（ＨＤ）１０３に格納される。処理の終了した画像データは、出力部Ｉ／Ｆ１１２を介して画像出力部１０５に送られる。また、処理の終了した画像データは、送受信部Ｉ／Ｆ１１３を介してデータ送受信部１０４に送られる。データ送受信部１０４に送られたデータは、ネットワーク上に存在するホストコンピュータ１１６など外部に接続された他のデータ処理装置に送られる。後者に送られたデータは、複写機が有するプリントエンジンから紙などのメディア上に印刷されて出力される。また、このデータ送受信部１０４を介して、外部のホストコンピュータ１１６から印字データを受け取る場合もある。（この時、複写機はプリンタとして動作する）
【０００５】
これら一連の印字データ及び画像データ処理を実行する際の動作環境は、環境設定部（パネル）１０１からユーザにより設定される。設定内容に従い、設定部Ｉ／Ｆ１１１を介してデータ処理・制御部１０２の動作設定が行われる。
【０００６】
以上が、一般的な複写・プリンタ装置の説明であるが、ここで、原稿読取部１００の詳細を、図２〜４を用いて説明する。
【０００７】
図２は、原稿設置台に設置された複数枚からなる原稿を上部から引いて、表面を下向きにした状態で読み取りを行い、そのまま排紙する画像読取装置を示す。原稿を原稿設置台２１１に表面を上にして設置し、給紙部２１３により積載原稿の最上部２１２（原稿の一枚目）を最初に紙搬送経路に引き込む。給紙部２１３は、複数の原稿を連続して紙搬送経路に引き込んでも良い。引き込まれた原稿は、搬送経路を通り、読取部を通過する際は符号２１４で指定される状態、すなわち表面を下にした状態で、読取部の下部に設置された読取センサー２１５で画像を読み取る。読取後はそのままの向きで排紙トレイへ送ると、排出された後は原稿の一枚目が最下部に来た状態で積載される（符号２１６で指定される状態）。
【０００８】
一方、図３は、原稿設置台に設置された複数枚からなる原稿を上部から引いて、表面を上向きにした状態で読み取りを行い、そのまま排紙する画像読取装置を示す。原稿を原稿設置台２２１に表面を下にして設置し、給紙部２２３により積載原稿の最上部２２２（原稿の最終枚目）を最初に紙搬送経路に引き込む。引き込まれた原稿は、搬送経路を通り、読取部を通過する際は符号２２４で指定される状態、すなわち表面を上にした状態で、読取部の上部に設置された読取センサー２２５で画像を読み取る。読取後はそのままの向きで排紙トレイへ送ると、排出された後は原稿の一枚目が最上部に来た状態で積載される（符号２２６で指定される状態）。
【０００９】
上記は、印字面が表面にのみ存在することを前提とした片面原稿を読み取るシステムであるが、複写機によっては、印字面が表裏両面に存在する両面原稿を読み取ることが可能な機能を有するものもある。
【００１０】
このタイプの読取装置には、二種類のシステムが存在する。第１のシステムは、原稿面を読み取るセンサーを有する唯一の原稿読取部を用いて、１面目を読取後に原稿を反転させ、２面目を同じ原稿読取部で読み取る（読取部を表裏２回通過させる）。第２のシステムは、表裏を読み取る読取部を個別に有し、１回の原稿搬送で表裏を同時に読み取る。
【００１１】
図４は、両面読取可能な読取装置を示す。
【００１２】
図４において、Ａ〜Ｄは、原稿設置台に設置された複数枚からなる原稿を上部から引いて、表面を下向きにした状態で表面／裏面を同時に読み取り、そのまま排紙する順路を示す。原稿を原稿設置台２３１に表面を上にして設置し、給紙部２３３により積載原稿の最上部２３２（原稿の一枚目）を最初に紙搬送経路に引き込む。引き込まれた原稿は、搬送経路を通り、最初の読取部を通過する際は符号２３４で指定される状態、すなわち表面を下にした状態で、読取部の上（内側）部に設置された読取センサー２３５で裏面の画像を読み取る。読取後は、続いて２番目の読取部を符号２３６で指定される状態で通過し、読取部の下（外側）部に設置された読取センサー２３７で表面の画像を読み取る。読取後はそのままの向きで排紙トレイへ送ると、排出された後は原稿の一枚目が最下部に来た状態で積載される（符号２３８で指定される状態）。
【００１３】
一方、図４において、Ｅ〜Ｊは、Ａ〜Ｄと同じく原稿設置台に設置された複数枚からなる原稿を上部から引いて、表面を下向きにした状態を読み取る。さらに、Ｅ〜Ｊは、Ｅ以降の原稿反転装置を経由して原稿を反転させた後、同じ読取部を通過させ、裏面を読み取ってそのまま排紙する順路を示す。図４のＣを通過した後、Ｅから始まる反転処理に移行する。この時原稿は符号２３９で指定される状態であるが、ＦでスイッチバックしＧ〜Ｈの搬送経路を通って、Ｉで再度読取センサー２３７を通過する際は符号２４０で指定される状態になっている。ここで裏面を読み取り、読取後はそのままの向きで排紙トレイへ送ると、排出された後は原稿の積載時と同じ状態で積載される（符号２４１で指定される状態）。
【００１４】
このように、原稿面を原稿台にどの方向で設置するべきかについては給紙部と読取部の構造に依存し、一意に決められているため、ユーザは指定通りの状態で原稿を設置しなければならない。すなわち、従来の複写機やＦＡＸなどの画像読取装置では、原稿を読み取る際に原稿面を所定の方向に揃えて原稿台に設置する必要があり、指定と異なる向きに置かれた原稿は、片面原稿であれば白紙の裏面を読み取ってしまい、正しく画像の読み取りが行われない。
【００１５】
なお、両面読取可能なタイプの画像読取装置であっても、片面読みシステムと同様に原稿設置面が規定されることに変わりはない。すなわち、両面原稿であれば本来表面→裏面の順（または、裏面→表面）と読み取るべき原稿を逆面から読むため、排出後の原稿は積載順が変わってしまう。（両面原稿を反転タイプで読み取る場合、上記の画像読取装置であると原稿の１枚目が最下部に来た状態で排出されてしまうので、再度反転する工夫が別途必要になる。）
【００１６】
このように、複写機やＦＡＸなどの画像読取装置に原稿を設置する際、ユーザはどの面を上にするかを意識しなければならない。
【００１７】
この問題は、従来技術により、以下のように解決されていた。まず、原稿の１枚目（最初に読み取りを行う原稿）を読み取る際、読み取り面の画像の有無を判定する。そして、どちらの面が原稿台にセットされているかを判定し、画像が存在する面を読み取り面と設定し、２枚目以降は設定された面を読み取り面とする。すなわち、原稿台にセットされた面がいずれの向きであっても画像の読み取りが可能となる。この場合、両面読み取りが可能であること、また各原稿の表面は揃っていることが前提となる。（例えば、特許文献１参照）
【００１８】
さらに、画像形成動作を行う前に、原稿の表面と裏面の画像情報の有無を検知する手段を持つことにより、原稿毎に表裏判定を行い、どちらの面に対して画像形成動作を行うかを制御することで、解決することができる。（例えば、特許文献2参照）
また、上記の画像有無を判定する際の手法として、例えば、特許文献３に開示されている手法がある。特許文献３では、両面同時読み取りが可能であることを前提とする。そして、表裏をそれぞれ読み取るセンサー位置をずらし、最初に読み取りを開始する面（１面目）の途中まで画像情報が無い場合に、２面目の読み取りを開始し、画像情報があれば２面目の読み取りは行わない。これにより、判定処理のパフォーマンスを向上させ、読み取り面を切り替える事ができないことに対応する手段として、所定の方向と異なる面がセットされている場合はユーザにその旨を通知する。このようにして、ユーザに対して警告を出し、原稿の再設置が促される。
【００１９】
【特許文献１】特開２００５−１９１８８５号公報
【特許文献２】特開平５−３０３２５３号公報
【特許文献３】特開平１１−１３６４４２号公報
【発明の開示】
【発明が解決しようとする課題】
【００２０】
特許文献１においては、いずれも複数枚からなる原稿を読み取る場合、各原稿が全て所定の方向に揃っていることが必要であり、表面と裏面が混在している原稿をそのままセットすると、正しく画像の読み取りが行われない、という問題が生じる。このため、ユーザにとっては全ての面が同一方向に揃った原稿をセットするために原稿設置時に常に向きの確認行為が発生していた。
【００２１】
この点を解決している特許文献２においては、原稿の各面が揃っていない場合も画像形成動作が可能である。しかし、例えば、両面同時読取を行うシステムなどでは、原稿を反転せずに両面の画像読取が可能なため、読み取られた原稿が排出される際、原稿面は設置された状態（面が揃わない）のまま排出されてしまう。
【００２２】
さらに、特許文献３では、表裏判定の結果、読取面の指定または所定の向きにセットされていないことを警告することは可能であるが、読取後の原稿は、セットされた状態に従って所定の面方向に排出されるため、表裏が混在する原稿は混載状態のまま排出される。
【００２３】
従って、従来技術において表裏混在した原稿を何らかの手段で表裏を判定し、表面のみを読み取った場合も、読取画像としては表面の情報を抽出できる。しかし、原稿の表裏混在を解消する手段を持たないため、（必要であれば）最終的にはユーザが面を揃える必要があった。
【００２４】
このように、従来技術においては、片面原稿のいずれに画像情報があるかを判定し、読取面を決定するものであり、システムによっては原稿面の表裏が混在したまま排出されてしまう、という問題があった。
【課題を解決するための手段】
【００２５】
上記課題を解決するために、本発明に係る画像読取装置は、複数枚からなる原稿を連続して給紙する給紙手段と、原稿の片面の画像情報を読み取る読取手段と、搬送された原稿の向きを物理的に変更する変更手段と、読取手段により原稿の第１面の画像情報を読み取るとき、原稿の第１面の画像情報の有無を判定し、画像情報の有無の判定手段により原稿の第１面に画像情報が存在しないと判定された場合に、読取手段により原稿の第２面の画像情報を読み取る読取処理に移行し、原稿の第２面の画像情報の有無を判定する、画像情報の有無の判定手段と、画像情報の有無の判定手段による判定が終了して原稿が読取手段から排出される際、原稿の情報が記載されている面が所定の方向を向くか否かを判定する、原稿の方向の判定手段とを備え、原稿の方向の判定手段により、原稿が所定の方向を向かないと判定された場合に、原稿の向きが変更手段により物理的に変更されることを特徴とする。
【発明の効果】
【００２６】
以上述べた通り、本発明によれば、以下のことが可能になる。すなわち、画像読取装置において片面原稿を読み取る際、ユーザが読み取られる原稿の各ページの表裏を意識することなく設置した原稿に対し、自動的に正しい原稿面の読み取り処理を行うと同時に、表裏混在した原稿の面を正しい面に揃えて排出することができる。
【００２７】
また、上記機能をユーザが用いるか否かを選択可能とし、さらに原稿面を揃えたことにより排出原稿の天地が反転する可能性を、ユーザに通知することが可能となる。
【発明を実施するための最良の形態】
【００２８】
（原稿の決まった面を固定で読み取る装置における実施形態１）
以下、原稿の決まった面を固定で読み取る装置において、片面原稿を読み取る際に、表裏混載原稿の自動表裏判定と排出後原稿の面揃えを行う場合の実施形態を説明する。
【００２９】
図５において、実施形態１の動作概要を説明する。1枚目と３枚目は読取部に対して表面が、２枚目は読取部に対して裏面がそれぞれ正対するような状態の表裏混載原稿について説明する。
【００３０】
（１）でまず片面読取モードで、原稿の最上部にある１枚目の原稿の第１面の画像情報が読み取られた結果、正常な面方向でセットされていると判定されるため、そのまま読み取った画像を表面画像情報としてそのまま排出する。排出後の原稿は表面が下向きとなって原稿の一番下に位置する。次に（２）では引き続き片面読取モードで２枚目の原稿の第１面の画像情報が読み取られた結果、正常な面方向でセットされていないと判定されるため、片面読取モードから両面読取モードに原稿を読み取る向きが物理的に変更される。この装置では両面読取は反転処理を伴う必要があるため、反転を行った後、２面目を読み取った画像を表面画像情報としてそのまま排出される。排出後の原稿は（既に反転処理がなされているため）表面が下向きとなって原稿の下から二番目に位置する。最後に（３）で再び片面読取モードで、３枚目の原稿の第１面の画像情報が読み取られた結果、正常な面方向でセットされていると判定されるため、そのまま読み取った画像情報を表面画像情報として排出される。排出後の原稿は表面が下向きとなって原稿の一番上に位置する。
【００３１】
このように表裏自動判定を行い、読取部にどちらの面が正対していても表面の画像情報を読み取ることができ、かつ裏面が正対している原稿は反転処理を行うため、原稿は全て面が揃って排出トレイに積載される。
【００３２】
次に、図６を用いて本発明の処理フローを説明する。図６に示されているフローチャートの各ステップは、図１に示されているＣＰＵ１０８によって実行される。
【００３３】
図６のステップ４１１において最上部の原稿が原稿読取部１００へ搬送され、ステップ４１２において原稿読取部１００で原稿の第１面の画像情報が読み取られる。ステップ４１３において、読み取られた画像が解析され、ステップ４１４において、原稿の第１面に画像情報が存在するか否かが判定される。ここで画像情報が有ると判定された場合は、第２面の読み取り及び原稿反転は不要なので、そのままステップ４２０で原稿が排出される。ステップ４１４において、原稿に画像情報がない（白紙）と判定された場合は反対面が表の可能性があるため、両面読取モードに移行してステップ４１５で原稿の第２面の画像情報が読み取られる。ステップ４１６で同じく原稿の第２面の画像情報が解析される。そして、ステップ４１７で原稿が白紙か否かが判定される。ステップ４１７で原稿に画像情報があると判定された場合は、さらにステップ４１８で原稿の反転処理が必要か否かが判定される。実施形態１のシステムでは、第２面の読取時に必ず反転処理が発生するので、この例では反転処理は不要と判定されている。但し、システムによってはここで反転処理が必要な場合（実施形態２で説明する）があり、その場合はステップ４１９で反転処理が行われる。そして、第２面を表面としてそのままステップ４２０で原稿が排出される。その後、ステップ４２１で次の原稿が存在するか否かが判定され、次の原稿が存在する場合は、ステップ４１１へ戻って次の原稿の読取処理が行われる。次の原稿が存在しない場合はそのまま終了する。
【００３４】
図８は、モードの選択処理を示す図である。図８に示されているフローチャートの各ステップは、全て図１に示されているＣＰＵ１０８によって実行される。
【００３５】
図８において、ステップ５１１で片面原稿モードが選択されているか否かが判定される。ステップ５１１において、片面原稿モードが選択されていないと判定される場合には、ステップ５１２に処理が移行し、両面読取モードが開始される。そして、ステップ５１１において、片面原稿モードが選択されていると判定される場合には、ステップ５１３に処理が進む。ステップ５１３では、表裏自動判定モードが選択されているか否かが判定される。ステップ５１３において、表裏自動判定モードが選択されていないと判定される場合には、ステップ５１４に処理が進む。そして、ステップ５１４において、片面読取モードが開始される。ステップ５１３において、表裏自動判定モードが選択されていると判定される場合には、ステップ５１５に処理が進む。そして、ステップ５１５では、片面読取モードと表裏自動判定モードが開始される。次に、片面読取モードと表裏自動判定モードの具体的な処理がステップ５１６を経由してステップ５１７で実行される。
【００３６】
次に、図９および図１０を用いて、表面か否かの判定処理に関する２つのアルゴリズムを例として説明する。図９と図１０に示されているフローチャートの各ステップは、全て図１に示されているＣＰＵ１０８によって実行される。
【００３７】
図９においては、ステップ６１１で各画像の画像情報と比較する閾値が指定および保持され、ステップ６１２で、判定が行われる画像の画像情報（画素値）が取得される。次に、ステップ６１３でこの画素値と閾値が比較され、ステップ６１４で画素値が閾値よりも大きいと判定された場合は、ステップ６１５で画像情報有りとされて処理が終了する。ステップ６１４で、画素値が閾値よりも小さいと判定された場合は、ステップ６１６で次の判定対象画素が存在するか否かを判定される。そして、ステップ６１６で次の判定対象画素が存在すると判定された場合は、ステップ６１２に処理が戻って同様の比較処理が行われる。ステップ６１６で次の判定対象画素が存在しないと判定された場合は、ステップ６１７でブロック内は全て情報無し（白紙）として画像判定が終了する。なお、閾値を超える画素の数が所定値よりも少なければ、画像情報無しと判定してもよい。
【００３８】
他の表面判定処理の例として、図１０では、ステップ６２１で各画像ブロック内の画像情報と比較する閾値が指定および保持され、ステップ６２２で一定の範囲のブロック内に存在する画素の画素値の平均値が算出される。そして、ステップ６２３で平均画素値と閾値が比較される。次に、ステップ６２４で平均画素値が閾値よりも大きいと判定された場合は、ステップ６２５で画像情報有りとして処理が終了する。ステップ６２４で平均画素値が閾値よりも小さいと判定された場合は、ステップ６２６でブロック内は全て情報無し（白紙）として画像判定の処理が終了する。
【００３９】
次に、実施形態１で説明する機能は、次のようなユーザインターフェイス（以下、ＵＩ）を有することで、ユーザは通常の画像読取モードとの切り替えを選択することが可能となる。従来技術では、図１１に示されているような、領域７１１にあるように、原稿形態と出力形態の種類に応じて読み取りモードを指定するＵＩ（ユーザインタフェース）が用いられている。領域７１１では、片面原稿を片面読み取り／両面原稿を片面読み取り／片面原稿を両面読み取り／両面原稿を両面読み取りと指定するＵＩが示されている。これらのモードでは原稿を読取装置の指定通りにセットしなければならないが、本機能を選択するために図１２に示されているように、表裏自動判定を伴う片面読取モード７１２を設けることにより、ユーザは上記切り替えが可能となる。
【００４０】
なお、図１２のＵＩ（ユーザインタフェース）は図１の環境設定部（パネル）１０１に表示される。
【００４１】
（原稿の両面を同時に読み取り可能な装置における実施形態２）
本発明においては、画像読取・形成を目的とせず、表裏混載原稿の面揃えのみを目的とした機能としても適用することが可能である。また、１つの読取装置に２つの読取機能を有することで両面同時読取を実現する機構を有する場合、表裏判定は同時に行うことが可能である。実施形態１では第１面と第２面の表裏判定を別々に行っていたところを同時に判定し、反転処理は原稿の反転のみに使用する形態も可能となる。
【００４２】
このような実施形態では、原稿の第１面と第２面に画像情報が存在しないと判定された場合、または、原稿の第１面と第２面の双方に画像情報が存在すると判定された場合に、原稿の向きの判定を行わなくても良い。
【００４３】
以下、反転処理機能に加えて、両面同時読取機能を有する両面画像読取・形成装置において、表裏混載原稿の表裏自動判定モードを用いた原稿面揃えを行う場合の実施形態２を説明する。
【００４４】
図７は、実施形態２に係る両面画像読み取りの処理を示すフローチャートである。図７に示されているフローチャートの各ステップは、図１に示されているＣＰＵ１０８によって実行される。
【００４５】
図７において、ステップ４２２で最上部の原稿が原稿読取部１００へ搬送され、ステップ４２３で両面同時読取部により第１面と第２面の画像情報が同時に読み取られる。ステップ４２４では、ステップ４２３で読み取られた画像が解析され、ステップ４２５において、原稿の第１面に画像情報が存在するか否かが判定される。ステップ４２６で本来表面を読み取る側の読取部（図では、第１面側）に画素値が存在するか否かを判定する。ここで画像情報がない（白紙）と判定した場合、当該原稿は裏面置きされていると判定し、ステップ４２７で原稿の反転処理がなされ、ステップ４２８で排出される。ステップ４２５で原稿の第1面に画像情報があると判定された場合は、表面置きされているとしてそのままステップ４２８で排出される。その後、ステップ４２９で次の原稿が存在するか否かが判定され、次の原稿が存在する場合にはステップ４２２へ戻って次の原稿の読取処理が行われる。次の原稿が存在しない場合は、そのまま終了する。
【００４６】
次に、実施形態２で説明する機能は、次のようなユーザインターフェイス（以下、ＵＩ）を有することで選択することが可能となる。図１３には、実施形態２で設けられるＵＩとして、領域７２１に含まれているような原稿が片面か両面かを指定するＵＩが示されている。さらに、実施形態２では、図１４に示されているように、読み取り処理を行うか（ボタン７２２）、読み取らず原稿の面揃えだけを行うか（ボタン７２３）を選択するＵＩを設けることにより、ユーザは実施形態２の機能を使用することが可能となる。
【００４７】
図１４に示されているＵＩでは、一例として、両面読取ボタンが選択されている。そして、図１５に示されているＵＩでは、一例として、片面読取ボタンが選択されており、原稿読取ボタン７３１は選択されておらず、原稿面揃えボタン７３２と出力結果面揃えボタン７３３が選択されている。
【００４８】
また、表裏自動判定／原稿面揃えを行った場合、読み取った画像情報の出力結果も面揃えを行うか、出力結果はそのままの状態（表裏混在）とするかを選択させることも可能である。すなわち、出力結果面揃えモード（ボタン７２４）が選択された場合、裏面置きされた原稿は反転処理後の読取画像を当該ページの画像情報とする。選択されていない場合は、裏面置きされていてもそのまま最初に読み取った面を当該ページの画像情報とする。
【００４９】
さらに、原稿が両面の場合、領域７２１で両面原稿を選択されたら、表裏自動判定を行わない、或いは原稿面揃えを行わない処理に切り替える、という制御も可能である。
【００５０】
（反転情報通知を行う実施形態３）
実施形態１および実施形態２で説明したように、本来表面が来るべきところに裏面が来た場合に反転処理を行うことで原稿の表裏面を揃える際、原稿の搬送方向によっては天地が反転してしまうケースがある。図４において、原稿がポートレートで紙の搬送方向と向きが一致している場合を説明する。この時正常に表面がセットされていれば、原稿面が下向きで排出されるが、裏面と判定されて反転処理を行った結果、排出される。この時、原稿は表面が下向きに揃うが、天地（△の部分）は反転処理しない場合と反対向きになってしまう。すなわち、図５の（２）または（３）の排出後の原稿のような状態となる。このように、反転処理を行った際、表裏は揃うが原稿の天地は保証されないため、ユーザが意図しない積載状態になる可能性がある。従って、反転処理を行った原稿の情報をユーザに提供することにより、ユーザに注意を促す機能を提供することも可能である。
【００５１】
図１２に示されているＵＩにおいて、表裏自動判定を選択するモードが設けられている。図１２に示されているＵＩでは、更に面揃えの対象となった原稿情報を表示するか否かを選択する「反転ページ情報表示」ボタン７１３と、実際に反転処理がなされたページの情報を示す表示部７１４が設けられている。これにより、ユーザは面揃えを行った結果反転処理が行われたページに関する情報を取得することが可能となる。また、例えば原稿がランドスケープで搬送方向と一致しない場合は、反転処理による天地反転は起こらないので、用紙搬送方向や原稿向きに応じて自動的に表示の有無を切り替えることも可能である。
【図面の簡単な説明】
【００５２】
【図１】画像読取装置を有する複写機を示すブロック図である。
【図２】画像読取装置の詳細と搬送経路を示す図である。
【図３】画像読取装置の詳細と搬送経路を示す図である。
【図４】画像読取装置の詳細と搬送経路を示す図である。
【図５】読取前後の原稿の状態を示す図である。
【図６】本実施形態に係る処理を示すフローチャートである。
【図７】本実施形態に係る処理を示すフローチャートである。
【図８】本実施形態に係る処理を示すフローチャートである。
【図９】本実施形態に係る表裏自動判定に用いる判定アルゴリズムを示すフローチャートである。
【図１０】本実施形態に係る表裏自動判定に用いる判定アルゴリズムを示すフローチャートである。
【図１１】本実施形態に係るＵＩ（ユーザインタフェース）を示す図である。
【図１２】本実施形態に係るＵＩ（ユーザインタフェース）を示す図である。
【図１３】本実施形態に係るＵＩ（ユーザインタフェース）を示す図である。
【図１４】本実施形態に係るＵＩ（ユーザインタフェース）を示す図である。
【図１５】本実施形態に係るＵＩ（ユーザインタフェース）を示す図である。
【符号の説明】
【００５３】
１００  原稿読取部
１０１  環境設定部（パネル）
１０２  データ処理・制御部
１０３  内部記憶領域部（ＨＤ）
１１６  ホストコンピュータ
【図１】
2009065527.tif 000003
【図２】
2009065527.tif 000004
【図３】
2009065527.tif 000005
【図４】
2009065527.tif 000006
【図５】
2009065527.tif 000007
【図６】
2009065527.tif 000008
【図７】
2009065527.tif 000009
【図８】
2009065527.tif 000010
【図９】
2009065527.tif 000011
【図１０】
2009065527.tif 000012
【図１１】
2009065527.tif 000013
【図１２】
2009065527.tif 000014
【図１３】
2009065527.tif 000015
【図１４】
2009065527.tif 000016
【図１５】
2009065527.tif 000017